(57)【特許請求の範囲】
【請求項１】
円筒穴と同軸に環状収納部が下向きに開口したコ字形の断面形状に形成され、前記円筒穴の内周の複数個所に分けてスリット溝を有する突条部が軸方向に形成された上側コアケース部品と、
円筒穴と同軸に上方の環状収納部及び下方の環状収納部が上下方向に開口したＨ形の断面形状に形成され、前記円筒穴の内周の複数個所に分けてスリット溝を有する突条部が軸方向に形成された１又は複数の中間コアケース部品と、
円筒穴と同軸に環状収納部が前記上側コアケース部品の環状収納部の反対側となる上向きに開口したコ字形の断面形状に形成され、前記円筒穴の内周の複数個所に分けてスリット溝を有する突条部が軸方向に形成された下側コアケース部品と、
前記上側コアケース部品、前記１又は複数の中間コアケース部品、及び前記下側コアケース部品のスリット溝に対応した嵌合リブが放射状に配置され、前記各コアケース部品が軸方向に積み重ねられた状態で前記各コアケース部品の円筒穴の軸方向に連設された前記複数の突条部のスリット溝に前記嵌合リブが嵌合することにより、前記各コアケース部品を連結固定させる連結部材と、
を備え、
前記各コアケース部品の各環状収納部の深さは同一であり、前記各コアケース部品が積層された状態で相対する両環状収納部を合わせた深さは、収納されるコア部材の厚さに対応した深さであり、
前記各コアケース部品が前記連結部材により連結固定された状態で、前記上側コアケース部品の環状収納部及び前記中間コアケース部品の上方の環状収納部により形成される空間に前記コア部材を収納し、前記中間コアケース部品の下方の環状収納部及び前記下側コアケース部品の環状収納部により形成される空間に前記コア部材と同形状の別のコア部材を収納することを特徴とするコアケース構造。
【請求項２】
請求項１記載のコアケース構造に於いて、複数の前記中間コアケース部品を備える場合、前記各コアケース部品が前記連結部材により連結固定された状態で、上側の前記中間コアケース部品の下方の環状収納部及び下側の前記中間コアケース部品の上方の環状収納部により形成される空間に前記コア部材及び前記別のコア部材と同形状の他のコア部材を収納することを特徴とするコアケース構造。
【請求項３】
請求項１又は２記載のコアケース構造に於いて、前記中間コアケース部品の積層数は、収納されるコア部材の段数から１を減じた数であることを特徴とするコアケース構造。
【請求項４】
請求項１乃至３の何れかに記載のコアケース構造に於いて、前記上側コアケース部品、前記中間コアケース部品及び前記下側コアケース部品の前記スリット溝を有する突条部の数、及び前記連結部材の嵌合リブの数は、コアケースに設けられる巻線の線数であることを特徴とするコアケース構造。
【請求項５】
請求項４記載のコアケース構造に於いて、前記上側コアケース部品、前記中間コアケース部品、及び前記下側コアケース部品は、前記円筒穴に形成された突条部に相対した外周軸方向にコイル仕切壁が形成されたことを特徴とするコアケース構造。
【発明の詳細な説明】
【技術分野】
【０００１】
本発明は、ノイズフィルタ等のチョークコイルに用いるコアケース構造に関する。
【背景技術】
【０００２】
従来、チョークコイルとコンデンサで構成されるノイズフィルタは、電源ラインや通信ライン等を経由して外部から電子機器内に侵入するノイズにより電子機器が誤動作することを防止する装置であり、電子機器にとって必要不可欠である。
【０００３】
ノイズフィルタのチョークコイルは、フェライト等のコア部材をコアケースに収納し、コアケースの外側にコイルを巻き回した構造としている。
【０００４】
図６は３相３線式で１コア部材が１段に収納された従来のコアケース構造であり、図６（Ａ）に組立状態を示し、図６（Ｂ）に組立分解状態を示している。
【０００５】
図６に示すように、コアケース１００Ａは、上側コアケース部品１０２、下側コアケース部品１０４及び連結部材１０６からなる３種類の部品で構成される。上側コアケース部品１０２は中央に円筒穴１０２ａが形成され、円筒穴１０２ａと同軸に環状収納部１０２ｂが下側に開口して形成され、円筒穴１０２ａの内周の複数個所に分けてスリット溝１０２ｄを有する突条部１０２ｃが軸方向に形成されている。
【０００６】
下側コアケース部品１０４は中央に円筒穴１０４ａが形成され、円筒穴１０４ａと同軸に環状収納部１０４ｂが上側に開口して形成され、円筒穴１０４ａの内周の複数個所に分けてスリット溝１０４ｄを有する突条部１０４ｃが軸方向に形成されている。
【０００７】
連結部材１０６は、上側コアケース部品１０２と下側コアケース部品１０４のスリット溝１０２ｄ，１０４ｄに対応して３枚の嵌合リブ１０６ａが放射状に設けられ、各コアケース１０２，１０４に形成された環状収納部１０２ｂ，１０４ｂの中にフェライト製のコア部材１０８を収納した状態で、スリット溝１０２ｄ，１０４ｄに嵌合リブ１０６ａを嵌合して連結固定させることでコアケース１００Ａを完成させており、最終的に、突上部１０２ｃ，１０４ｃの外側に連設されたコイル仕切壁１０２ｅ，１０４ｅの間に３相交流の各相に対応したコイルを巻くことでチョークコイルが作製される。
【０００８】
図７は３相３線式でコア部材が２段に収納された従来のコアケース構造であり、図７（Ａ）に組立状態を示し、図７（Ｂ）に組立分解状態を示している。
【０００９】
図７に示すように、コアケース１００Ｂは、上側コアケース部品１０２、下側コアケース部品１１０、スペーサ１１２及び連結部材１１４からなる４種類の部品で構成される。上側コアケース部品１０２は図６の従来構造と同じものであるが、下側コアケース部品１１０は、環状収納部１１０ａの深さをコア部材１０８が２段にスペーサ１１２を介して収納される寸法としている点で、図６の下側コアケース部品１０４と相違している。また連結部材１１４は２段のコア部材１０８の収納に対応して嵌合リブ１１４ａが高くなっている。
【００１０】
コアケース１００Ｂは、上側コアケース部品１０２と下側コアケース部品１１０の環状収納部１０２ａ，１１０ａの中に、スペーサ１１２を介して２段にコア部材１０８が収納され、各コアケース１０２，１１０のスリット溝１０２ｄ，１１０ｄに連結部材１１４の嵌合リブ１１４ａを嵌合して連結固定させることでコアケース１００Ｂを完成させており、最終的に、突条部１０２ｃ，１１０ｃの外側に連設されたコイル仕切壁１０２ｅ，１１０ｅの間に３相交流の各相に対応したコイルを巻くことでチョークコイルが作製される。
【００１１】
図８は３相３線式でアモルファス製のコア部材が２段に収納された従来のコアケース構造であり、図８（Ａ）に組立状態を示し、図８（Ｂ）に組立分解状態を示している。
【００１２】
図８に示すように、コアケース１００Ｃは、４個のコアケース部品１１６、３個の上側固定部品１１８、３個の下側固定部品１２０及び連結部材１１４からなる４種類の部品で構成される。連結部材１１４は図７の従来構造と同じものである。
【００１３】
コアケース１００Ｃは、２段に配置するアモルファス製のコア部材１２２が、コア毎に空間を確保する必要があるため、コアケース部品１１６を２個ずつ向い合せた環状収納部１１６ａの中にアモルファス製のコア部品１２２を収納して重ね合せ、環状収納部１１６ａの３箇所に上側固定部品１１８と下側固定部品１２０を挟み付けるように取付け、上側固定部品１１８と下側固定部品１２０のスリット溝１１８ｄ，１２０ｄに連結部材１１４の嵌合リブ１１４ａを嵌合して連結固定させることでコアケース１００Ｃを完成させており、最終的に、突条部１１８ｃ，１２０ｃの外側に連設されたコイル仕切壁１１８ｅ，１２０ｅの間に３相交流の各相に対応したコイルを巻くことでチョークコイルが作製される。
【先行技術文献】
【特許文献】
【００１４】
【特許文献１】特開２０１５−１７０６２６号公報
【発明の概要】
【発明が解決しようとする課題】
【００１５】
しかしながら、このような従来のコアケース構造にあっては、例えば図６乃至図８に示された３種類のコアケース１００Ａ，１００Ｂ，１００Ｃを作製する場合、上側コアケース部品１０２、下側コアケース部品１０４、下側コアケース部品１１０、スペーサ１１２、コアケース部品１１６、２種類の連結部材１０６，１１４、上側固定部品１１８、下側固定部品１２０からなる９種類の部品を必要としており、これに対応して９種類の金型が必要となり、コアケース部品の製造や管理も部品の種類が多いために煩雑であり、製造コストが嵩んでしまう問題があった。
【００１６】
本発明は、コア部材の段数やコア部材の材質の相違に対応したコアケースを、少ない種類のコアケース部品により構成可能として生産効率の向上とコストの低減を可能とするコアケース構造を提供することを目的とする。
【課題を解決するための手段】
【００１７】
（コアケース構造）
本発明は、コアケース構造に於いて、
円筒穴と同軸に環状収納部が下向きに開口したコ字形の断面形状に形成され、円筒穴の内周の複数個所に分けてスリット溝を有する突条部が軸方向に形成された上側コアケース部品と、
円筒穴と同軸に上方の環状収納部及び下方の環状収納部が上下方向に開口したＨ形の断面形状に形成され、円筒穴の内周の複数個所に分けてスリット溝を有する突条部が軸方向に形成された１又は複数の中間コアケース部品と、
円筒穴と同軸に環状収納部が上側コアケース部品の環状収納部の反対側となる上向きに開口したコ字形の断面形状に形成され、円筒穴の内周の複数個所に分けてスリット溝を有する突条部が軸方向に形成された下側コアケース部品と、
上側コアケース部品、１又は複数の中間コアケース部品、及び下側コアケース部品のスリット溝に対応した嵌合リブが放射状に配置され、各コアケース部品が軸方向に積み重ねられた状態で各コアケース部品の円筒穴の軸方向に連設された複数の突条部のスリット溝に嵌合リブが嵌合することにより、各コアケース部品を連結固定させる連結部材と、
を備え、
各コアケース部品の各環状収納部の深さは同一であり、各コアケース部品を積層した状態で相対する両環状収納部を合わせた深さは、収納されるコア部材の厚さに対応した深さであり、
各コアケース部品が連結部材により連結固定された状態で、上側コアケース部品の環状収納部及び中間コアケース部品の上方の環状収納部により形成される空間にコア部材を収納し、中間コアケース部品の下方の環状収納部及び下側コアケース部品の環状収納部により形成される空間にコア部材と同形状の別のコア部材を収納することを特徴とする。
【００１８】
（複数の中間コアケース部品を備える場合）
ここで、複数の中間コアケース部品を備える場合、各コアケース部品が連結部材により連結固定された状態で、上側の中間コアケース部品の下方の環状収納部及び下側の中間コアケース部品の上方の環状収納部により形成される空間にコア部材及び別のコア部材と同形状の他のコア部材を収納する。
【００１９】
（中間コアケース部品の数）
また、中間コアケース部品の積層数は、収納されるコア部材の段数から１を減じた数である。
【００２０】
（コイル相数に対応した構造）
上側コアケース部品、中間コアケース部品及び下側コアケース部品のスリット溝を有する突条部の数、及び連結部材の嵌合リブの数は、コアケースに設けられる巻線の線数である。
【００２１】
（コアケース外周のコイル仕切壁）
上側コアケース部品、中間コアケース部品、及び下側コアケース部品は、円筒穴に形成された突条部に相対した外周軸方向にコイル仕切壁が形成される。
【発明の効果】
【００２２】
（基本的な効果）
本発明は、コアケース構造に於いて、円筒穴と同軸に環状収納部が片側に開口して形成され、円筒穴の内周の複数個所に分けてスリット溝を有する突条部が軸方向に形成された上側コアケース部品と、円筒穴と同軸に環状収納部が両側に開口して背合わせに形成され、円筒穴の内周の複数個所に分けてスリット溝を有する突条部が軸方向に形成された１又は複数の中間コアケース部品と、円筒穴と同軸に環状収納部が上側コアケースの環状収納部の反対側となる片側に開口して形成され、円筒穴の内周の複数個所に分けてスリット溝を有する突条部が軸方向に形成された下側コアケース部品と、上側コアケース部品、１又は複数の中間コアケース部品、及び下側コアケース部品のスリット溝に対応した嵌合リブが放射状に配置され、各コアケースが軸方向に積み重ねた状態で各コアケース部品の円筒穴の軸方向に連設された複数の突条部のスリット溝に嵌合リブが嵌合されることにより連結固定させる連結部材とが備えられたため、例えばコア部材が１段、コア部材２段、又は、コア部材をアモルファス製とする３種類のコアケース構造を作製する場合、従来は９種類のコアケース部品を必要としたが、本発明にあっては、上側コアケース部品、下側コアケース部品、中間コアケース部品、高さの異なる２種類の連結部材からなる５種類のコアケース部品に低減することができ、コアケース部品の製造に使用する金型の種類が低減でき、また、コアケース部品の製造や管理も部品の種類が少ないことから簡単且つ容易となり、製造コストの低減が可能となる。
【００２３】
また、コア部材の段数の増加に対しては、使用する中間コアケース部品の数を増加させ、段数に応じた高さの連結部材を準備することで、簡単且つ容易に対応可能となる。
【００２４】
また、コア部材毎に空間を設ける構造を必要とするアモルファス製のコア部材を複数段収納する場合にも、中間コアケース部品を重ねて行くことで、コア部材を１つずつ収納する空間を簡単に形成することができ、アモルファス製のコア部材毎にコアケースを作製する必要がなくなり、コアケース部品の種類を低減可能としている。
【００２５】
（コア収納部の断面形状による効果）
また、上側コアケース部品に形成された環状収納部は下向きに開口したコ字形の断面形状とされ、中間コアケース部品の両側に開口して背合せに形成された環状収納部はＨ形の断面形状とされ、下側コアケース部品に形成された環状収納部は上向きに開口したコ字形の断面形状とされたため、上側コアケース部品及び下側コアケース部品は従来品と同じものであるが、中間コアケース部品は環状収納部の断面形状がＨ形となることで十分な強度を持たせることができる。
【００２６】
（コア収納部のサイズによる効果）
また、上側コアケース部品、中間コアケース部品及び下側コアケース部品の環状収納部の深さは同一であり、各コアケース部品を積層した状態で相対する環状収納部を合わせた深さは、収納されるコア部材の厚さに対応した深さとされたため、上側コアケース部品、中間コアケース部品及び下側コアケース部品の積み重ねにより、コア部材毎に独立した収納空間を簡単に実現可能とする。
【００２７】
（コイル相数に対応した構造による効果）
また、上側コアケース部品、中間コアケース部品及び下側コアケース部品のスリット溝を有する突条部の数および連結部材の嵌合リブの数が、コアケースに設けられる巻線の線数とされ、更に、各コアケース部品の円筒穴に形成された突条部に相対した外周軸方向にコイル仕切壁が形成されたため、単相２線用、３相３線用、３相４線用等に対応したコアケース構造が少ない種類のコアケース部品により作製可能となり、製造や管理が容易となり、製造コストの低減が可能となる。
【図面の簡単な説明】
【００２８】
【図１】３相３線式でコア部材が２段に収納されたコアケースの実施形態を示した説明図
【図２】図１の実施形態を断面で示した説明図
【図３】３相３線式でコア部材が３段に収納されたコアケースの実施形態を断面で示した説明図
【図４】単相２線式でコア部材が２段に収納されたコアケースの実施形態を示した説明図
【図５】３相４線式でコア部材が２段に収納されたコアケースの実施形態を示した説明図
【図６】３相３線式でコア部材が１段に収納された従来のコアケースを示した説明図
【図７】３相３線式でコア部材が２段に収納された従来のコアケースを示した説明図
【図８】３相３線式でアモルファス製のコア部材が２段に収納された従来のコアケースを示した説明図
【発明を実施するための形態】
【００２９】
［３相３線式のコアケース］
図１は３相３線式でコア部材が２段に収納されたコアケースの実施形態を示した説明図であり、図１（Ａ）に組立状態の外観を示し、図１（Ｂ）に組立分解状態を示し、図１（Ｃ）にコアケースにコイルを巻いて作製されたチョークコイルを示す。また、図２は図１の実施形態を断面で示した説明図であり、図２（Ａ）に組立状態の断面を示し、図２（Ｂ）に組立分解状態の断面を示す。なお、図２は図１（Ａ）のＸ−Ｘ視の断面である。
【００３０】
（コアケースの構成部品）
図１及び図２に示すように、本実施形態のコアケース１０Ａは、上側コアケース部品１２、下側コアケース部品１４、中間コアケース部品１６及び連結部材１８からなる４種類の部品で構成され、それぞれ金型を用いた合成樹脂の射出成形により製造される。
【００３１】
（上側コアケース部品）
上側コアケース部品１２は、中央に円筒穴１２ａが形成され、円筒穴１２ａと同軸に断面がコ字形となる環状収納部１２ｂが下側に開口して形成され、円筒穴１２ａの内周の３個所に分けてスリット溝１２ｄを有する突条部１２ｃが軸方向に形成され、その外周側にコイル仕切壁１２ｅが形成されている。
【００３２】
上側コアケース部品１２は、図６に示した従来の上側コアケース部品１０２と同じものである。
【００３３】
（下側コアケース部品）
下側コアケース部品１４は、中央に円筒穴１４ａが形成され、円筒穴１４ａと同軸に断面がコ字形となる環状収納部１４ｂが上側に開口して形成され、円筒穴１４ａの内周の３個所に分けてスリット溝１４ｄを有する突条部１４ｃが軸方向に形成され、その外周側にコイル仕切壁１４ｅが形成されている。
【００３４】
下側コアケース部品１４は、図６に示した従来の下側コアケース部品１０４と同じものである。
【００３５】
（中間コアケース部品）
中間コアケース部品１６は、円筒穴１６ａと同軸に２つの環状収納部１６ｂが両側に開口して背合わせに形成され、環状収納部１６ｂはＨ形の断面形状となっており、これにより十分な強度が確保されている。中間コアケース部品１６の円筒穴１６ａの内周には、３個所に分けてスリット溝１６ｄを有する突条部１６ｃが軸方向に形成され、その外側にコイル仕切壁１６ｅが形成されている。
【００３６】
（連結部材）
連結部材１８は３枚の嵌合リブ１８ａが放射状に配置されており、上側コアケース部品１２、中間コアケース部品１６、及び下側コアケース部品１４を積み重ねた状態で、それぞれのスリット溝１２ｄ，１６ｄ，１４ｄに上側から嵌合リブ１８ａを差し込んで嵌合させることにより、上側コアケース部品１２、中間コアケース部品１６、及び下側コアケース部品１４が連結固定されてコアケース１０Ａが完成される。
【００３７】
連結部材１８によって上側コアケース部品１２、中間コアケース部品１６、及び下側コアケース部品１４を積み重ねた状態で連結固定する場合、上側コアケース部品１２の環状収納部１２ｂと中間コアケース部品１６の上側の環状収納部１６ｂとの間にコア部材２０を収納し、また、中間コアケース部品１６の下側の環状収納部１６ｂと下側コアケース部品１４の環状収納部１４ｂの間に別のコア部材２０を収納することで、コア部材２０が２段に収納されている。
【００３８】
（環状収納部の寸法）
上側コアケース部品１２、中間コアケース部品１６及び下側コアケース部品１４に形成された環状収納部１２ｂ，１６ｂ，１４ｂの深さは同一であり、連結部材１８により連結固定した状態で相対する環状収納部１２ｄ，１６ｄ又は環状収納部１６ｄ，１４ｄを合わせた深さは、収納されるコア部材２０の厚さに対応した所定の深さとなるように形成している。
【００３９】
（コア部材）
コアケース１０Ａに収納されるコア部材２０の材質は、フェライト製又はアモルファス製のいずれであっても良い。コア部材２０としてフェライト製を使用した場合、図７に示した従来構造ではコア部材１０８の間にスペーサ１１２が配置されていたが、本実施形態では、中間コアケース部品１６における両側に開口した環状収納部１６ｂの背合せ部分がスペーサとしての機能を果たし、別部品として準備する必要がない。
【００４０】
また、コア部材２０としてアモルファス製を使用する場合には、コア部材毎に独立した収納空間を確保するため、図８に示した従来構造ではコア部材１２２毎に２組のコアケース部品１１６を準備して収納していたが、本実施形態にあっては、連結部材１８により上側コアケース部品１２、中間コアケース部品１６、及び下側コアケース部品１４を積み重ねた状態で連結固定することで、２箇所に分離されたコア収納空間が形成され、コア部材毎に２組のコアケース部品を準備する必要がない。
【００４１】
（チョークコイル）
このような構造を持ったコアケース１０Ａは、図１（Ｃ）に示すように、コアケース１０Ａの突条部１２ｃ，１６ｃ，１４ｃ及びコイル仕切壁１２ｅ，１６ｅ，１４ｅで仕切られた３箇所のコアケース部位に、３相交流の各相のコイルとなる導線２２を巻き回すことにより、チョークコイルが作製される。
【００４２】
（本実施形態のメリット）
図７及び図８に示した３相３線式の従来のコアケース１００Ｂ，１００Ｃの構造を実現する場合、従来は８種類のコアケース部品を必要としたが、本実施形態にあっては、上側コアケース部品１２、中間コアケース部品１６、下側コアケース部品１４及び連結部材１８からなる４種類のコアケース部品で実現することができ、必要とする構成部品の種類が４種類に半減し、金型のコストが低減し、部品の製造管理の手間も低減できる。
【００４３】
［コア段数を増加したコイルケースの実施形態］
図３は３相３線式でコア部材が３段に収納されたコアケースの実施形態を断面で示した説明図であり、図３（Ａ）に組立状態の断面を示し、図３（Ｂ）に組立分解状態の断面を示す。
【００４４】
図３に示すように、本実施形態のコアケース１０Ｂは、コア部材２０を３段に収納するため、上側コアケース部品１２、下側コアケース部品１４、２個の中間コアケース部品１６及び連結部材２４からなる４種類の部品で構成され、それぞれ金型を用いた合成樹脂の射出成形により製造される。
【００４５】
ここで、上側コアケース部品１２、下側コアケース部品１４、中間コアケース部品１６は、図１及び図２に示したコア部材２０を２段に収納するコアケース１０Ａと同じものであるが、本実施形態の連結部材２４は、コア部材２０が１段増えた分だけ高くしている点で、図１及び図２に示した連結部材１８とは相違している。
【００４６】
このようにコア部材２０の段数が増加した場合には、段数に合せて中間コアケース部品１６の数を増やし、併せて、連結部材２４として、追加された中間コアケース１６の分だけ高くなったものを準備することで、コア部材２０の段数の増加に簡単且つ容易に対応できる。
【００４７】
［単相２線式のコアケース］
図４は単相２線式でコア部材が２段に収納されたコアケースの実施形態を示した説明図である。
【００４８】
図４に示すように、本実施形態のコアケース１０Ｃは、コア部材を２段に収納するため、上側コアケース部品２６、下側コアケース部品２８、中間コアケース部品１６Ｃ及び連結部材３０からなる４種類の部品で構成され、それぞれ金型を用いた合成樹脂の射出成形により製造される。
【００４９】
上側コアケース部品２６、中間コアケース部品１６Ｃ及び下側コアケース部品２８の環状収納部は、図１及び図２の実施形態の環状収納部１２ｂ，１６ｂ，１４ｂと同じであるが、単相２線式に対応して、例えば上側コアケース部品２６に示すように、円筒穴２６ａの内周の２箇所にスリット溝を備えた突条部２６ｃが形成され、この点は、中間コアケース部品１６Ｃ及び下側コアケース部品２８についても同様である。
【００５０】
また、連結部材３０は、相対した突条部２６ｃのスリット溝に対応した一枚のプレート部材としている。
【００５１】
本実施形態の単相２線式のコアケース１０Ｃにあっても、コア部材を２段に収納する構造は、上側コアケース部品２６、下側コアケース部品２８、中間コアケース部品１６Ｃ及び連結部材３０からなる４種類の部品で構成できる。
【００５２】
また、図３に示したように、コア部材の段数を増加させた場合には、中間コアケース部品１６Ｃを１つ増やし、コア部材の増加に見合った高さの連結部材３０を別の金型で製造することで、どのコア材質でも、簡単且つ容易に対応できる。
【００５３】
［３相４線式のコアケース］
図５は３相４線式でコア部材が２段に収納されたコアケースの実施形態を示した説明図である。
【００５４】
図５に示すように、本実施形態のコアケース１０Ｄは、コア部材を２段に収納するため、上側コアケース部品３２、下側コアケース部品３４、中間コアケース部品１６Ｄ及び連結部材３６からなる４種類の部品で構成され、それぞれ金型を用いた合成樹脂の射出成形により製造される。
【００５５】
上側コアケース部品３２、中間コアケース部品１６Ｄ及び下側コアケース部品３４の環状収納部は、図１及び図２の実施形態の環状収納部１２ｂ，１６ｂ，１４ｂと同じであるが、３相４線式に対応して、例えば上側コアケース部品３２に示すように、円筒穴３２ａの内周の４箇所にスリット溝を備えた突条部３２ｃが形成され、この点は、中間コアケース部品１６Ｄ及び下側コアケース部品３４についても同様である。
【００５６】
また、連結部材３６は、円筒穴３２ａの４箇所に形成されたスリット溝に対応した４枚の嵌合リブ３６ａを放射状に形成している。
【００５７】
本実施形態の３相４線式のコアケース１０Ｄにあっても、コア部材を２段に収納する構造は、上側コアケース部品３２、下側コアケース部品３４、中間コアケース部品１６Ｄ及び連結部材３６からなる４種類の部品で構成できる。
【００５８】
また、図３に示したように、コア部材の段数を増加させた場合には、中間コアケース部品１６Ｄを１つ増やし、コア部材の増加に見合った高さの連結部材３６を別の金型で製造することで、どのコア材質でも、簡単且つ容易に対応できる。
【００５９】
［本発明の変形例］
本発明は、上記の実施形態に限定されず、使用する交流の相数、巻線数及びコア部材の段数に対応した適宜のコアケース構造が含まれる。
【００６０】
また、ノイズフィルタ等のチョークコイルに使用するコアケースに限定されず、適宜の用途のチョークコイルに使用するコアケースを対象とする。
【００６１】
また、本発明はその目的と利点を損なうことのない適宜の変形を含み、更に上記の実施形態に示した数値による限定は受けない。
【符号の説明】
【００６２】
１０Ａ，１０Ｂ，１０Ｃ，１０Ｄ：コアケース
１２，２６，３２：上側コアケース部品
１２ａ，１４ａ，１６ａ，２６ａ，３２ａ：円筒穴
１２ｂ，１４ｂ，１６ｂ：環状収納部
１２ｃ，１４ｃ，１６ｃ，２６ｃ，３２ｃ：突条部
１２ｄ，１４ｄ，１６ｄ：スリット溝
１２ｅ，１４ｅ，１６ｅ：コイル仕切壁
１４，２８，３４：下側コアケース部品
１６，１６Ｃ，１６Ｄ：中間コアケース部品
１８，２４，３０，３６：連結部材
１８ａ：嵌合リブ
２０：コア部材
２２：導線
【図１】
0006555754.tif 000002
【図２】
0006555754.tif 000003
【図３】
0006555754.tif 000004
【図４】
0006555754.tif 000005
【図５】
0006555754.tif 000006
【図６】
0006555754.tif 000007
【図７】
0006555754.tif 000008
【図８】
0006555754.tif 000009